(57)【要約】【課題】パワーコンディショナを外壁に取り付ける作業を行う際に、シール材を塗布する作業を行わなくとも内部の止水を簡易に行うことができるパワーコンディショナの止水構造を提供する。【解決手段】建物の外壁１０に取り付けられ、蓄電池に接続されるパワーコンディショナ３０を具備し、パワーコンディショナ３０の背面には、当該パワーコンディショナ３０の内部に接続された電線３２が挿通される背面配線孔３８が形成されると共に、前記背面配線孔３８の少なくとも上方、左方及び右方を囲う第二背面部材５０が設けられ、第二背面部材５０の外壁１０に対向する面には、外壁１０に当接すると共に、当該外壁１０の表面の形状に追従して変形可能な止水部材５５が設けられる。【選択図】図１
2020053581.tif 000002
【特許請求の範囲】
【請求項１】
建物の外壁に取り付けられ、蓄電池に接続されるパワーコンディショナを具備し、
前記パワーコンディショナの背面には、当該パワーコンディショナの内部に接続された電線が挿通される背面配線孔が形成されると共に、前記背面配線孔の少なくとも上方、左方及び右方を囲う配線孔囲み部材が設けられ、
前記配線孔囲み部材の前記外壁に対向する面には、前記外壁に当接すると共に、当該外壁の表面の形状に追従して変形可能な止水部材が設けられる、
パワーコンディショナの止水構造。
【請求項２】
前記外壁には、前記電線が挿通される外壁配線孔が形成され、
前記背面配線孔は、前記外壁配線孔よりも上方に位置する、
請求項１に記載のパワーコンディショナの止水構造。
【請求項３】
前記パワーコンディショナは、前記建物の外壁に止具を介して取り付けられた壁掛金具に対して固定され、
前記パワーコンディショナの背面には、前記壁掛金具の上方、左方及び右方を囲う壁掛金具囲み部材が設けられ、
前記壁掛金具囲み部材に接触し、かつ、当該パワーコンディショナの背面と前記外壁との間の隙間を埋めるように、シール材が塗布されている、
請求項１又は請求項２に記載のパワーコンディショナの止水構造。
【請求項４】
前記配線孔囲み部材は、前記壁掛金具囲み部材の一部を構成する、
請求項３に記載のパワーコンディショナの止水構造。
【請求項５】
前記配線孔囲み部材は、
前記背面配線孔の上方、下方、左方及び右方を囲う構成とされ、
前記止水部材は、
前記背面配線孔の上方、左方及び右方において連続するように設けられた第一止水部と、前記背面配線孔の下方において前記第一止水部と離間するように設けられた第二止水部と、を有する、
請求項１から請求項４までのいずれか一項に記載のパワーコンディショナの止水構造。
【請求項６】
建物の外壁に取り付けられ、蓄電池に接続されるパワーコンディショナの止水方法であって、
前記パワーコンディショナの背面には、当該パワーコンディショナの内部に接続された電線が挿通される背面配線孔が形成されると共に、当該背面配線孔の少なくとも上方、左方及び右方を囲う配線孔囲み部材が設けられ、
前記配線孔囲み部材の前記外壁に対向する面には、前記外壁に当接した状態で当該外壁の表面の形状に追従して変形可能な止水部材が設けられ、
前記止水部材が前記外壁に当接するように、前記パワーコンディショナを前記外壁に取り付ける、
パワーコンディショナの止水方法。
【請求項７】
前記止水部材は、
前記パワーコンディショナが前記壁掛金具に固定される前の状態で、前記配線孔囲み部材の前記外壁に対向する面において、当該配線孔囲み部材の上端部、左端部及び右端部よりも前記背面配線孔側に位置する、
請求項６に記載のパワーコンディショナの止水方法。
【発明の詳細な説明】
【技術分野】
【０００１】
本発明は、パワーコンディショナの止水構造及び止水方法の技術に関する。
【背景技術】
【０００２】
従来、屋外に設置されるパワーコンディショナの技術は公知となっている。例えば、特許文献１に記載の如くである。
【０００３】
特許文献１には、家屋の外壁に取り付けられるパワーコンディショナが記載されている。
【０００４】
上述のようなパワーコンディショナの内部と家屋の内部とは、電線で接続される。上記電線は、上記パワーコンディショナの外壁側に設けられた配線孔を介して、当該パワーコンディショナの内部に挿通される。
【０００５】
ここで、上記配線孔を介して雨水がパワーコンディショナの内部に侵入すると、パワーコンディショナの故障の原因となるため、上記配線孔の周囲にシール材を塗布して止水を行う必要がある。
【０００６】
しかしながら、パワーコンディショナの設置作業において、一般的に、パワーコンディショナを外壁に対して取り付ける作業者と、シール材を塗布して止水を行う作業者と、は互いに異なる作業者であるため、パワーコンディショナを外壁に取り付ける作業の後、シール材を塗布する作業まで期間が空いてしまう場合がある。このような場合、上記配線孔を介して雨水がパワーコンディショナの内部に侵入するおそれがある。従って、パワーコンディショナを外壁に取り付ける作業を行う際に、シール材を塗布する作業を行わなくとも内部の止水が簡易に行われることが望ましい。
【先行技術文献】
【特許文献】
【０００７】
【特許文献１】特開２０１７−１６９２７１号公報
【発明の概要】
【発明が解決しようとする課題】
【０００８】
本発明は、以上の如き状況を鑑みてなされたものであり、その解決しようとする課題は、パワーコンディショナを外壁に取り付ける作業を行う際に、シール材を塗布する作業を行わなくとも内部の止水を簡易に行うことができるパワーコンディショナの止水構造及び止水方法を提供するものである。
【課題を解決するための手段】
【０００９】
本発明の解決しようとする課題は以上の如くであり、次にこの課題を解決するための手段を説明する。
【００１０】
即ち、請求項１においては、建物の外壁に取り付けられ、蓄電池に接続されるパワーコンディショナを具備し、前記パワーコンディショナの背面には、当該パワーコンディショナの内部に接続された電線が挿通される背面配線孔が形成されると共に、前記背面配線孔の少なくとも上方、左方及び右方を囲う配線孔囲み部材が設けられ、前記配線孔囲み部材の前記外壁に対向する面には、前記外壁に当接すると共に、当該外壁の表面の形状に追従して変形可能な止水部材が設けられるものである。
【００１１】
請求項２においては、前記外壁には、前記電線が挿通される外壁配線孔が形成され、前記背面配線孔は、前記外壁配線孔よりも上方に位置するものである。
【００１２】
請求項３においては、前記パワーコンディショナは、前記建物の外壁に止具を介して取り付けられた壁掛金具に対して固定され、前記パワーコンディショナの背面には、前記壁掛金具の上方、左方及び右方を囲う壁掛金具囲み部材が設けられ、前記壁掛金具囲み部材に接触し、かつ、当該パワーコンディショナの背面と前記外壁との間の隙間を埋めるように、シール材が塗布されているものである。
【００１３】
請求項４においては、前記配線孔囲み部材は、前記壁掛金具囲み部材の一部を構成するものである。
【００１４】
請求項５においては、前記配線孔囲み部材は、前記背面配線孔の上方、下方、左方及び右方を囲う構成とされ、前記止水部材は、前記背面配線孔の上方、左方及び右方において連続するように設けられた第一止水部と、前記背面配線孔の下方において前記第一止水部と離間するように設けられた第二止水部と、を有するものである。
【００１５】
請求項６においては、建物の外壁に取り付けられ、蓄電池に接続されるパワーコンディショナの止水方法であって、前記パワーコンディショナの背面には、当該パワーコンディショナの内部に接続された電線が挿通される背面配線孔が形成されると共に、当該背面配線孔の少なくとも上方、左方及び右方を囲う配線孔囲み部材が設けられ、前記配線孔囲み部材の前記外壁に対向する面には、前記外壁に当接した状態で当該外壁の表面の形状に追従して変形可能な止水部材が設けられ、前記止水部材が前記外壁に当接するように、前記パワーコンディショナを前記外壁に取り付けるものである。
【００１６】
請求項７においては、前記止水部材は、前記パワーコンディショナが前記壁掛金具に固定される前の状態で、前記配線孔囲み部材の前記外壁に対向する面において、当該配線孔囲み部材の上端部、左端部及び右端部よりも前記背面配線孔側に位置するものである。
【発明の効果】
【００１７】
本発明の効果として、以下に示すような効果を奏する。
【００１８】
請求項１においては、パワーコンディショナを外壁に取り付ける作業を行う際に、シール材を塗布する作業を行わなくとも内部の止水を簡易に行うことができる。
【００１９】
請求項２においては、電線を伝って、水がパワーコンディショナの内部に侵入することを抑制することができる。
【００２０】
請求項３においては、建物の内部への水の浸入を容易に抑制することができる。
【００２１】
請求項４においては、壁掛金具囲み部材及び配線孔囲み部材の構成を簡略化することができる。
【００２２】
請求項５においては、下方からのパワーコンディショナの内部への水の浸入を抑制することができる。また、背面配線孔の下方に位置する第二止水部を、第一止水部と離間するように設けているので、配線孔囲み部材に囲われた領域に水が浸入した場合でも、第一止水部と第二止水部との間の隙間を介した排水が可能となる。
【００２３】
請求項６においては、パワーコンディショナを外壁に取り付ける作業を行う際に、シール材を塗布する作業を行わなくとも内部の止水を簡易に行うことができる。
【００２４】
請求項７においては、止水部材が外壁に当接して変形した場合に、反背面配線孔側にはみ出すようなことを抑制することができる。
【図面の簡単な説明】
【００２５】
【図１】本発明の第一実施形態に係るパワーコンディショナの止水構造を示した、外壁を省略した背面図。
【図２】図１におけるＸ−Ｘ断面図。
【図３】図２の一部を拡大した断面図。
【図４】壁掛金具を示す正面図。
【図５】壁掛金具に固定される前のパワーコンディショナを示した背面図。
【図６】第二背面部材を示す斜視図。
【図７】パワーコンディショナの止水方法を示すフローチャート。
【図８】パワーコンディショナを壁掛金具に取り付ける前の状態を示す図２に対応する断面図。
【図９】パワーコンディショナを壁掛金具に取り付けた後の状態を示す図２に対応する断面図。
【図１０】（ａ）パワーコンディショナを壁掛金具に取り付ける前の状態を示す図１におけるＹ−Ｙ断面図。（ｂ）パワーコンディショナを壁掛金具に取り付けた後の状態を示す（ａ）に対応する断面図。（ｃ）シール材を塗布した状態を示す（ｂ）に対応する断面図。
【図１１】本発明の第二実施形態に係るパワーコンディショナの止水構造を示した、図１に対応する断面図。
【発明を実施するための形態】
【００２６】
以下では、図中の矢印に基づいて、前後方向、左右方向及び上下方向を定義して説明を行う。
【００２７】
まず、図１から図６までを用いて、本発明の第一実施形態に係る止水構造１について説明する。
【００２８】
本実施形態に係る止水構造１は、後述するパワーコンディショナ３０の背面と、後述する外壁１０と、の間の隙間の止水に関する構造である。本実施形態に係る止水構造１は、図１及び図２に示すように、主として、外壁１０、壁掛金具２０、パワーコンディショナ３０及びシール材６０を具備する。
【００２９】
外壁１０は、住宅等の建物の外側の面を構成するものである。図１及び図２に示すように、外壁１０には、当該外壁１０を厚さ方向（前後方向）に貫通する外壁配線孔１１が形成されている。外壁配線孔１１には、後述するパワーコンディショナ３０の電線３２が挿通される。図例では、外壁配線孔１１は、上下に間隔を空けて形成された、正面視円形状の３つの孔からなる。以下では、必要に応じて、３つの孔のうち上側に位置するものを上側外壁配線孔１１ａ、中央に位置するものを中央外壁配線孔１１ｂ、下側に位置するものを下側外壁配線孔１１ｃと称して説明する。
【００３０】
壁掛金具２０は、外壁１０に取り付けられると共に、後述するパワーコンディショナ３０が固定されるものである。壁掛金具２０は、ネジやボルト等の止具を介して外壁１０に対して固定される。この際、外壁１０には、止具が挿通する孔が形成される。壁掛金具２０は、板状とされており、厚さ方向（前後方向）を外壁１０の厚さ方向に沿わせて配置される。壁掛金具２０は、図１及び図４に示すように、前後方向に見て略Ｔ字状とされている。壁掛金具２０は、主として、上部２１、接続部２４及び下部２５を具備する。
【００３１】
上部２１は、左右方向に長尺状とされている。上部２１の前面における上側部位には、後述するパワーコンディショナ３０の上側被係合部３５に対応する上側係合部２２が形成されている（図８参照）。図例では、上側係合部２２は、上方に向けて突出する形状とされている。また、上側係合部２２は、上部２１において左右に一対形成されている。
【００３２】
また、上部２１の左右両側部には、厚さ方向に貫通し、止具が挿通される止具挿通孔２３が形成されている。止具挿通孔２３は、上下に間隔を空けて複数（図例では４つ）形成されている。図例では、止具挿通孔２３は、上下に長尺な長孔状とされている。上記複数の止具挿通孔２３のうち、いずれかを介して止具が挿通されることで、壁掛金具２０は、外壁１０に固定される。
【００３３】
接続部２４は、上部２１の下方における左右方向中央部に設けられた部分である。接続部２４は、上部２１及び後述する下部２５を接続するものである。接続部２４は、左右寸法が上部２１の左右寸法よりも小さく形成される、接続部２４は、上下に長尺状とされている。
【００３４】
下部２５は、接続部２４の下方に設けられた部分である。下部２５は、左右寸法が上部２１の左右寸法よりも小さく、接続部２４の左右寸法よりも大きく形成される。下部２５の下端部には、後述するパワーコンディショナ３０の下側被係合部３６に対応する下側係合部２６が形成されている。下側係合部２６は、下部２５の下端部から前方に突出するように設けられる。下側係合部２６には、ネジ等の止具のための孔である止具孔２７が複数（図例では３つ）形成されている。
【００３５】
また、下部２５の左右両側部には、上部２１と同様、止具挿通孔２３が形成されている。止具挿通孔２３は、上下に間隔を空けて複数（図例では４つ）形成されている。
【００３６】
図１から図３、図５に示すパワーコンディショナ３０（ハイブリッドパワコン）は、電力を適宜変換するものである。パワーコンディショナ３０は、住宅等の建物に設置された蓄電池（不図示）や建物内部の分電盤（不図示）、系統電源に接続される。これにより、パワーコンディショナ３０は、蓄電池から放電された電力を、分電盤を介して負荷に出力可能であると共に、系統電源からの電力を蓄電池に出力可能な蓄電システムを構成する。
【００３７】
また、パワーコンディショナ３０は、太陽光を利用した発電が可能な太陽光発電部に接続可能とされている。これによれば、パワーコンディショナ３０は、太陽光発電部で発電された電力を負荷に出力可能であると共に、太陽光発電部で発電された電力を蓄電池に出力可能となる。
【００３８】
パワーコンディショナ３０は、図１及び図２、図５に示すように、上下に長尺な直方体状とされている。また、パワーコンディショナ３０は、図２に示すように、壁掛金具２０に固定される。パワーコンディショナ３０は、主として、内部機器３１、電線３２、ケース３３、第一背面部材４０を具備する。
【００３９】
内部機器３１は、電力の変換機能を発揮するパワーコンディショナ３０の主要部分である。内部機器３１は、後述するケース３３内に収容される。電線３２は、内部機器３１に接続されると共に、建物の内部側において分電盤に接続されるものである。
【００４０】
ケース３３は、パワーコンディショナ３０の外郭を構成するものである。ケース３３は、箱状とされている。ケース３３は、パワーコンディショナ３０の背面を構成する背板３４を有している。背板３４には、上側被係合部３５、下側被係合部３６及び背面配線孔３８が形成されている。
【００４１】
上側被係合部３５は、壁掛金具２０の上側係合部２２に係合されるものである。上側被係合部３５は、背板３４の背面において、上側係合部２２に対応した位置に形成される。上側被係合部３５は、下方に向けて開口し、上側係合部２２の形状に応じた凹部を有するものとされている（図８参照）。上側被係合部３５の凹部の内部に上側係合部２２が収容されることで、上側被係合部３５と上側係合部２２とが係合する。
【００４２】
下側被係合部３６は、壁掛金具２０の下側係合部２６に係合されるものである。下側被係合部３６は、背板３４の下端から下方に向けて突出する。下側被係合部３６は、厚さ方向（前後方向）を壁掛金具２０の厚さ方向に沿わせた板状とされ、背板３４の左右方向中央に形成されている。下側被係合部３６は、図２に示すように、当該下側被係合部３６の後面が、下側係合部２６の前面に当接する。下側被係合部３６には、止具挿通孔３７が形成されている。
【００４３】
止具挿通孔３７は、下側被係合部３６を厚さ方向に貫通し、ネジ等の止具が挿通される孔である。止具挿通孔３７は、前後方向に見て、止具孔２７と重なり合うように、止具孔２７に応じた数（図例では３つ）形成される。止具挿通孔３７を挿通させたネジを、止具孔２７に連結させることで、壁掛金具２０に対してパワーコンディショナ３０を固定することができる。
【００４４】
背面配線孔３８は、図２及び図３に示すように、背板３４を厚さ方向に貫通し、電線３２が挿通される孔である。背面配線孔３８は、図１に示すように、背板３４における左下隅部に形成されている。図例では、背面配線孔３８は、上下に長尺な長孔状とされている。また、図例では、背面配線孔３８は、背板３４において前方へ凹むように形成された凹部の底部分に形成されている。背面配線孔３８は、上下寸法及び幅寸法が、外壁配線孔１１を構成する各孔（上側外壁配線孔１１ａ、中央外壁配線孔１１ｂ及び下側外壁配線孔１１ｃ）の内径寸法よりも大きく形成されている。
【００４５】
背面配線孔３８は、外壁配線孔１１よりも上方に位置する。ここで、背面配線孔３８が外壁配線孔１１よりも上方に位置する状態とは、背面配線孔３８の下端が外壁配線孔１１の下端（下側外壁配線孔１１ｃの下端）よりも上方に位置する状態と、背面配線孔３８の上端が外壁配線孔１１の上端（上側外壁配線孔１１ａの上端）よりも上方に位置する状態と、のうち少なくとも一方を満たしている状態を指す。これによれば、電線３２を、背面配線孔３８から外壁配線孔１１へ下るように傾斜して配線させることができるので、上記電線３２を伝って、水がパワーコンディショナ３０の内部に侵入することを抑制することができる。
【００４６】
図例では、背面配線孔３８の下端が下側外壁配線孔１１ｃの下端よりも上方に位置し、背面配線孔３８の上端が外壁配線孔１１の上側外壁配線孔１１ａの上端よりも上方に位置した例を示している。また、図例では、前後方向に見て、背面配線孔３８が、上側外壁配線孔１１ａ及び中央外壁配線孔１１ｂと重なり合う一方、下側外壁配線孔１１ｃとは重なり合わない例を示している。
【００４７】
また、本実施形態では、背面配線孔３８と外壁配線孔１１との間に、二点鎖線で示す筒状のスリーブ１２を介在させている。スリーブ１２は、背面配線孔３８と、上側外壁配線孔１１ａ、中央外壁配線孔１１ｂ及び下側外壁配線孔１１ｃとを連通するように配置される。また、スリーブ１２は、外壁１０に取り付けられる。
【００４８】
第一背面部材４０は、図１に示すように、背板３４の背面において、壁掛金具２０の上方、左方及び右方を囲うように設けられたものである。第一背面部材４０は、発泡ポリエチレン等の発泡樹脂によって形成される。第一背面部材４０は、上部４１、左部４２及び右部４３を有している。
【００４９】
上部４１は、第一背面部材４０のうち、壁掛金具２０の上方に配置される部分である。上部４１は、左右方向に長尺な四角柱状に形成されている。上部４１は、当該上部４１の上端部が、背板３４の上端部よりも僅かに下方に位置するように配置される。また、上部４１は、当該上部４１の左右両端部が、背板３４の左右両端部よりも僅かに左右方向中央側に位置するように、背板３４の左右方向の略全体に亘って設けられている。また、図例では、上部４１は、当該上部４１の下端部が壁掛金具２０の上部２１の上端部に隣接するように配置されている。
【００５０】
左部４２は、第一背面部材４０のうち、壁掛金具２０の左方に配置される部分である。左部４２は、上下方向に長尺な四角柱状に形成されている。左部４２は、当該左部４２の左端部が、背板３４の左端部よりも僅かに右側に位置するように配置されている。また、左部４２は、上側被係合部３５と後述する第二背面部材５０との間に配置される。図例では、左部４２は、上端部が上側被係合部３５の下端部に隣接すると共に、下端部が第二背面部材５０の上端部（後述する上部５１の上端部）に隣接するように配置されている。また、左部４２は、右端部が、壁掛金具２０の上部２１の左端部に隣接するように配置されている。
【００５１】
右部４３は、第一背面部材４０のうち、壁掛金具２０の右方に配置される部分である。右部４３は、上下方向に長尺な四角柱状に形成されている。右部４３は、当該右部４３の右端部が、背板３４の右端部よりも僅かに左側に位置するように配置されている。また、右部４３は、上端部が上側被係合部３５の下端部に隣接すると共に、下端部が背板３４の下端部よりも僅かに上側に位置している。また、右部４３は、左端部が、壁掛金具２０の上部２１の右端部に隣接するように配置されている。
【００５２】
上述した第一背面部材４０においては、上部４１、左部４２及び右部４３の厚さ寸法（前後寸法）は、それぞれ同寸法とされている。また、左部４２及び右部４３の幅寸法（左右寸法）は、互いに同寸法とされ、上部４１の幅寸法（上下寸法）は、左部４２及び右部４３の幅寸法（左右寸法）よりも大きく形成されている。
【００５３】
また、第一背面部材４０は、第二背面部材５０を具備する。
【００５４】
第二背面部材５０は、図１及び図５に示すように、背板３４の背面において、背面配線孔３８の上方、左方、右方及び下方を囲うように設けられたものである。第二背面部材５０は、背板３４の左下隅に設けられている。また、第二背面部材５０は、第一背面部材４０の一部として、左部４２の下方において壁掛金具２０の左方に配置される。すなわち、本実施形態では、背面配線孔３８を囲う第二背面部材５０を、壁掛金具２０の左方に配置される第一背面部材４０の一部として兼用している。
【００５５】
第二背面部材５０は、図１及び図５、図６に示すように、四方枠状とされている。第二背面部材５０は、第一背面部材４０と同様、発泡ポリエチレン等の発泡樹脂によって形成される。第二背面部材５０は、上部５１、左部５２、右部５３、下部５４及び止水部材５５を具備する。
【００５６】
上部５１は、第二背面部材５０のうち、背面配線孔３８の上方に位置する部分である。上部５１は、左右方向に長尺状とされている。
【００５７】
左部５２は、第二背面部材５０のうち、背面配線孔３８の左方に位置する部分である。左部５２は、上下方向に長尺状とされている。また、左部５２は、左端部が、第一背面部材４０の左部４２の左端部と、同一平面状とされている。
【００５８】
右部５３は、第二背面部材５０のうち、背面配線孔３８の右方に位置する部分である。右部５３は、上下方向に長尺状とされている。
【００５９】
下部５４は、第二背面部材５０のうち、背面配線孔３８の下方に位置する部分である。下部５４は、左右方向に長尺状とされている。下部５４は、下端部が背板３４の下端部よりも僅かに上側に位置している。
【００６０】
本実施形態では、第二背面部材５０は、上部５１、左部５２、右部５３及び下部５４が一体的に成形されたことで、互いに連続するように形成されている。なお、第二背面部材５０としては、このような態様に限られず、互いに別体とされた上部５１、左部５２、右部５３及び下部５４を組み合わせて形成したものでもよい。
【００６１】
また、上述した第二背面部材５０においては、上部５１、左部５２、右部５３及び下部５４の厚さ寸法（前後寸法）は、それぞれ同寸法とされており、また、第一背面部材４０の厚さ寸法（前後寸法）と同寸法とされている。また、上部５１及び下部５４の幅寸法（上下寸法）、左部５２及び右部５３の幅寸法（左右寸法）は、それぞれ同寸法とされており、また、第一背面部材４０の左部４２及び右部４３の幅寸法（左右寸法）と同寸法とされている。
【００６２】
止水部材５５は、外壁１０に当接すると共に、外壁１０の表面の形状に追従して変形可能な部材である。止水部材５５は、第二背面部材５０の後面（外壁１０に対向する面）に設けられる。止水部材５５は、ゴム系材料によって形成される。止水部材５５は、図１０（ａ）、（ｂ）に示すように、パワーコンディショナ３０が、壁掛金具２０に固定された状態で、外壁１０に対して押し付けられるように当接することで変形する。
【００６３】
止水部材５５は、第二背面部材５０の上部５１、左部５２及び右部５３において、背面配線孔３８の上方、左方及び右方において連続するように設けられる。すなわち、止水部材５５は、図１及び図５に示すように、背面配線孔３８の上方、左方及び右方の三方を隙間無く囲うように配置される。止水部材５５が外壁１０に当接することで、背面配線孔３８の上方、左方及び右方の三方において、水が浸入する隙間を無くすことができ、背面配線孔３８側に水が浸入することを抑制することができる。止水部材５５は、上止水部５６、左止水部５７及び右止水部５８を有する。
【００６４】
上止水部５６は、止水部材５５のうち、背面配線孔３８の上方に位置する部分である。上止水部５６は、第二背面部材５０の上部５１に設けられる。上止水部５６は、外壁１０に当接した状態で、第二背面部材５０の上部５１の上端部よりも上方にはみ出さない（位置しない）構成とされている（図１及び図３参照）。また、上止水部５６は、外壁１０に当接した状態で、第二背面部材５０の左部５２の左端部よりも左方にはみ出さず、また、右部５３の右端部よりも右方にはみ出さない構成とされている（図１参照）。
【００６５】
上止水部５６は、図５及び図６、図８に示すように、外壁１０に当接していない状態（パワーコンディショナ３０が壁掛金具２０に固定される前の状態）で、左右方向に長尺な四角柱状に形成されている。また、上止水部５６は、図５及び図６に示すように、外壁１０に当接していない状態で、第二背面部材５０の上部５１の上端部よりも下側に位置する。また、上止水部５６は、外壁１０に当接していない状態で、第二背面部材５０の左部５２の左端部よりも右方に位置すると共に、右部５３の右端部よりも左方に位置する。また、図例では、上止水部５６は、当該上止水部５６の下端部と、第二背面部材５０の上部５１の下端部と、が同一平面状となるように配置されている。
【００６６】
左止水部５７は、止水部材５５のうち、背面配線孔３８の左方に位置する部分である。左止水部５７は、第二背面部材５０の左部５２に設けられる。左止水部５７は、外壁１０に当接した状態で、第二背面部材５０の左部５２の左端部よりも左方にはみ出さない構成とされている（図１及び図１０（ｂ）、（ｃ）参照）。
【００６７】
左止水部５７は、外壁１０に当接していない状態で、上下方向に長尺な四角柱状に形成されている。また、左止水部５７は、図５に示すように、外壁１０に当接していない状態で、第二背面部材５０の左部５２の左端部よりも右方に位置する。また、図例では、左止水部５７は、当該左止水部５７の右端部と、第二背面部材５０の左部５２の右端部と、が同一平面状となるように配置されている。また、左止水部５７は、当該左止水部５７の上端部が上止水部５６の下端部と隙間無く接すると共に、当該左止水部５７の左端部が、上止水部５６の左端部と同一平面状となるように配置されている。
【００６８】
右止水部５８は、止水部材５５のうち、背面配線孔３８の右方に位置する部分である。右止水部５８は、第二背面部材５０の右部５３に設けられる。右止水部５８は、外壁１０に当接した状態で、第二背面部材５０の右部５３の右端部よりも右方にはみ出さない構成とされている（図１参照）。
【００６９】
右止水部５８は、外壁１０に当接していない状態で、上下方向に長尺な四角柱状に形成されている。また、右止水部５８は、図５に示すように、外壁１０に当接していない状態で、第二背面部材５０の右部５３の右端部よりも左方に位置する。また、図例では、右止水部５８は、当該右止水部５８の左端部と、第二背面部材５０の右部５３の左端部と、が同一平面状となるように配置されている。また、右止水部５８は、当該右止水部５８の上端部が上止水部５６の下端部に対して隙間無く接すると共に、当該右止水部５８の右端部が、上止水部５６の右端部と同一平面状となるように配置されている。
【００７０】
上述した止水部材５５においては、上止水部５６、左止水部５７及び右止水部５８の厚さ寸法（前後寸法）は、それぞれ同寸法とされている。また、上止水部５６の幅寸法（上下寸法）、左止水部５７及び右止水部５８の幅寸法（左右寸法）は、それぞれ同寸法とされている。
【００７１】
シール材６０は、パワーコンディショナ３０の背面と外壁１０との間の隙間を埋めるように充填される材料である。シール材６０は、硬化前において不定形のペースト状とされ、硬化後において止水性を有する。シール材６０は、第一背面部材４０に接触し、かつ、パワーコンディショナ３０の背面と外壁１０との間の隙間を埋めるように塗布される。本実施形態では、シール材６０は、図１及び図２、図１０（ｃ）に示すように、第一背面部材４０の外方に向く面（第一背面部材４０の上部４１の上面、左面及び右面、左部４２の左面、右部４３の右面、第二背面部材５０の左部５２の左面）の全体と、外壁の前面と、パワーコンディショナ３０の背板の背面（後面）と、によって区画される空間を埋めるように塗布される。図例では、シール材６０を、中塗りで示している。
【００７２】
上述したようなパワーコンディショナ３０の止水構造１としたことで、建物の内部への水の浸入を容易に抑制することができる。すなわち、上述のようにシール材６０を塗布する構成とすることで、外壁に形成された止具が挿通される孔にシール材６０を塗布する場合や、壁掛金具２０の外形を構成する縁部に沿ってシール材６０を塗布する場合と比べて、外壁に形成された止具が挿通される孔の上方、左方及び右方の止水を容易に行うことができ、建物の内部への水の浸入を抑制することができる。また、第一背面部材４０に接触するようにシール材６０を塗布する構成とすることで、パワーコンディショナ３０の背面と外壁１０との間の隙間が大きい場合であっても、上記隙間を埋めるようにシール材６０を塗布し易いものとすることができる。
【００７３】
また、本実施形態では、第一背面部材４０によって囲われた範囲に背面配線孔３８が形成されているので、上述のようにシール材６０を塗布することで、背面配線孔３８を介してパワーコンディショナ３０の内部に水が浸入することを抑制することができる。
【００７４】
また、第二背面部材５０を上述したような構成としたことで、パワーコンディショナ３０を壁掛金具２０に固定した状態で、背面配線孔３８の上方、左方及び右方において水が浸入する隙間を無くすことができる。これにより、シール材６０の塗布が施される前の状態においても、背面配線孔３８を介してパワーコンディショナ３０の内部へ水が浸入することを抑制することができる。
【００７５】
また、パワーコンディショナ３０の設置作業においては、パワーコンディショナ３０を外壁１０に対して取り付ける作業と、シール材６０を塗布する作業と、における作業者及び作業日程が異なる場合がある。このような場合、パワーコンディショナ３０を外壁１０に対して取り付けた後、シール材６０を塗布するまでの空いた期間に雨が降るおそれがある。本実施形態に係る止水構造１によれば、このような場合であっても、壁掛金具２０の上方、左方及び右方に配置された第一背面部材４０によって、雨水の建物の内部への浸入を抑制することができる。また、第二背面部材５０を設けたことで、背面配線孔３８を介したパワーコンディショナ３０の内部への水の浸入を抑制することができる。
【００７６】
以下では、図５から図１０までを用いて、上述したようなパワーコンディショナ３０を外壁１０に取り付けるにあたって、建物の内部及びパワーコンディショナ３０の内部への止水が施されるように取り付ける方法（止水方法）について説明する。
【００７７】
図７に示すように、まず、壁掛金具２０を、外壁１０に取り付ける（ステップＳ１０）。この際、所定の止具を、図１及び図４に示した止具挿通孔２３及び外壁１０に挿通させることで、壁掛金具２０を外壁１０に取り付ける。この場合、予め外壁１０に止具が挿通する孔を形成するようにしてもよい。
【００７８】
次に、外壁１０に取り付けられた壁掛金具２０に、パワーコンディショナ３０を固定する（ステップＳ１１）。図５に示すように、取り付け前のパワーコンディショナ３０の背板３４には、上部４１を除いた第一背面部材４０（第二背面部材５０及び止水部材５５）が予め設けられている。
【００７９】
なお、本実施形態では、パワーコンディショナ３０を壁掛金具２０に固定する前に、図６に示したような予め一体的に形成された第二背面部材５０を、パワーコンディショナ３０の背板３４に取り付ける構成としている。第二背面部材５０は、両面テープ等の適宜の粘着材によって背板３４に取り付けられる。このような構成によれば、パワーコンディショナ３０を施工現場で搬送する際において、パワーコンディショナ３０の本体（第二背面部材５０を除いた部分）と、第二背面部材５０と、を分けて搬送することができる。これにより、パワーコンディショナ３０の本体と第二背面部材５０とを一体として搬送する場合と比べて、比較的破損しやすい材料で形成された第二背面部材５０が、搬送中においてパワーコンディショナ３０の自重等で破損することを防止することができる。また、予め一体的に形成された第二背面部材５０を、施工現場で簡単に背板３４に取り付けることができる。
【００８０】
パワーコンディショナ３０を壁掛金具２０に取り付ける際には、図８に示すように、まず、パワーコンディショナ３０の上側被係合部３５を上側係合部２２に対して引っ掛けるように係合させる。ここで、図５に示した例では、背板３４に上部４１を設けていない構成としているので、パワーコンディショナ３０の上側被係合部３５を上側係合部２２に係合させる際に、外壁１０と第一背面部材４０の上部４１とが干渉して、係合の妨げになることを抑制することができる。
【００８１】
上述のように、パワーコンディショナ３０の上側被係合部３５を上側係合部２２に対して引っ掛けた状態では、パワーコンディショナ３０の仮固定が可能となる。また、この際に、図３に示すように、パワーコンディショナ３０の電線３２を、スリーブ１２を介して外壁１０の外壁配線孔１１に挿通させる。
【００８２】
次に、パワーコンディショナ３０の上側被係合部３５を上側係合部２２に係合させた状態で、壁掛金具２０の下側係合部２６の前面に、パワーコンディショナ３０の下側被係合部３６の後面を当接させると共に、下側被係合部３６の止具挿通孔３７に挿通させたネジを、下側係合部２６の止具孔２７に連結させる。これにより、パワーコンディショナ３０は壁掛金具２０に対して固定される。
【００８３】
パワーコンディショナ３０が、壁掛金具２０に対して取り付けられる際には、図１０（ａ）及び図１０（ｂ）に示すように、止水部材５５が、外壁１０に押し付けられて、四方（上下左右方向）に延びるように外壁１０の表面の形状に追従して変形する。
【００８４】
次に、図９に示すように、パワーコンディショナ３０の背板３４に、第一背面部材４０の上部４１を設ける（ステップＳ１２）。上部４１は、両面テープ等の適宜の粘着材によって背板３４に取り付けられる。
【００８５】
次に、図１０（ｃ）に示すように、第一背面部材４０（第二背面部材５０）に接触し、かつ、パワーコンディショナ３０の背面と外壁１０との間の隙間を埋めるように、シール材６０を塗布する（ステップＳ１３）。図１に示すように、第一背面部材４０（第二背面部材５０）の外方に向く面の全体に接触するようにシール材６０を塗布することで、パワーコンディショナ３０の背面と外壁１０との間の隙間が大きい場合であっても、上記隙間を埋めるようにシール材６０を塗布し易いものとすることができる。すなわち、パワーコンディショナ３０の背面と外壁１０との間の隙間が大きい場合、塗布したシール材６０が、内方側（壁掛金具２０）に流れ易くなり、上記隙間を埋め難くなるおそれがある。本実施形態によれば、パワーコンディショナ３０の背面と外壁１０との間の隙間が大きい場合であっても、上記第一背面部材４０を設けたことで、シール材６０が、内方側に流れることを抑制し、シール材６０を塗布し易いものとすることができる。
【００８６】
以上のように、本発明の第一実施形態に係るパワーコンディショナ３０の止水構造１は、
建物の外壁１０に取り付けられ、蓄電池に接続されるパワーコンディショナ３０を具備し、
前記パワーコンディショナ３０の背面には、当該パワーコンディショナ３０の内部に接続された電線３２が挿通される背面配線孔３８が形成されると共に、前記背面配線孔３８の少なくとも上方、左方及び右方を囲う第二背面部材５０（配線孔囲み部材）が設けられ、
前記第二背面部材５０の前記外壁１０に対向する面には、前記外壁１０に当接すると共に、当該外壁１０の表面の形状に追従して変形可能な止水部材５５が設けられるものである。
【００８７】
このような構成により、パワーコンディショナ３０を外壁１０に取り付ける作業を行う際に、シール材６０を塗布する作業を行わなくとも内部の止水を簡易に行うことができる。すなわち、上記構成によれば、パワーコンディショナ３０を外壁１０に取り付けた状態で、止水部材５５による背面配線孔３８の周囲（上方、左方及び右方）の止水が可能となる。これにより、本実施形態のように、背面配線孔３８を囲うように、パワーコンディショナ３０の背面と外壁１０との間の隙間を埋めるようにシール材６０を塗布するものにおいて、パワーコンディショナ３０を壁掛金具２０に固定した状態で、かつ、シール材６０の塗布が施されていない状態であっても、背面配線孔３８を介してパワーコンディショナ３０の内部へ水が浸入することを抑制することができる。
【００８８】
また、前記外壁１０には、前記電線３２が挿通される外壁配線孔１１が形成され、
前記背面配線孔３８は、前記外壁配線孔１１よりも上方に位置するものである。
【００８９】
このような構成により、電線３２を伝って、水がパワーコンディショナ３０の内部に侵入することを抑制することができる。すなわち、背面配線孔３８を外壁配線孔１１よりも上方に位置するようにしたことで、電線３２が背面配線孔３８から外壁配線孔１１へ下るように傾斜して配線できるので、上記電線３２を伝って、水がパワーコンディショナ３０の内部に侵入することを抑制することができる。
【００９０】
また、前記パワーコンディショナ３０は、前記建物の外壁１０に止具を介して取り付けられた壁掛金具２０に対して固定され、
前記パワーコンディショナ３０の背面には、前記壁掛金具２０の上方、左方及び右方を囲う第一背面部材４０（壁掛金具囲み部材）が設けられ、
前記第一背面部材４０に接触し、かつ、当該パワーコンディショナ３０の背面と前記外壁１０との間の隙間を埋めるように、シール材６０が塗布されているものである。
【００９１】
このような構成により、建物の内部への水の浸入を容易に抑制することができる。すなわち、パワーコンディショナ３０の背面に設けられた第一背面部材４０に接触し、かつ、パワーコンディショナ３０の背面と外壁１０との間の隙間を埋めるようにシール材６０を塗布する構成とすることで、外壁に形成された止具が挿通される孔にシール材６０を塗布する場合や、壁掛金具２０の外形を構成する縁部に沿ってシール材６０を塗布する場合と比べて、容易に建物の内部への水の浸入を抑制することができる。また、第一背面部材４０に接触するようにシール材６０を塗布する構成とすることで、パワーコンディショナ３０の背面と外壁１０との間の隙間が大きい場合であっても、上記隙間を埋めるようにシール材６０を塗布し易いものとすることができる。
【００９２】
また、前記第二背面部材５０は、前記第一背面部材４０の一部を構成する。
【００９３】
このような構成により、第一背面部材４０及び第二背面部材５０の構成を簡略化することができる。すなわち、背面配線孔３８を囲う第二背面部材５０を、第一背面部材４０の一部として兼用しているので、第一背面部材４０と第二背面部材５０とをそれぞれ別体としたものと比べて、構成を簡略化することができる。
【００９４】
また、本発明の第一実施形態に係るパワーコンディショナ３０の止水方法は、
建物の外壁１０に取り付けられ、蓄電池に接続されるパワーコンディショナ３０の止水方法であって、
前記パワーコンディショナ３０の背面には、当該パワーコンディショナ３０の内部に接続された電線３２が挿通される背面配線孔３８が形成されると共に、当該背面配線孔３８の少なくとも上方、左方及び右方を囲う第二背面部材５０（配線孔囲み部材）が設けられ、
前記第二背面部材５０の前記外壁１０に対向する面には、前記外壁１０に当接した状態で当該外壁１０の表面の形状に追従して変形可能な止水部材５５が設けられ、
前記止水部材５５が前記外壁１０に当接するように、前記パワーコンディショナ３０を前記外壁１０に取り付ける（ステップＳ１１）ものである。
【００９５】
このような構成により、パワーコンディショナ３０を外壁１０に取り付ける作業を行う際に、シール材６０を塗布する作業を行わなくとも内部の止水を簡易に行うことができる。
【００９６】
また、前記止水部材５５は、
前記パワーコンディショナ３０が前記壁掛金具２０に固定される前の状態で、前記第二背面部材５０の前記外壁１０に対向する面において、当該第二背面部材５０の上端部、左端部及び右端部よりも前記背面配線孔３８側に位置するものである。
【００９７】
このような構成により、止水部材５５が外壁１０に当接して変形した場合に、外方（反背面配線孔側）にはみ出すようなことを抑制することができる。これにより、止水部材５５が外方にはみ出すことで、シール材６０の塗布が阻害されることを抑制することができる。
【００９８】
以上、本発明の実施形態を説明したが、本発明は上記構成に限定されるものではなく、特許請求の範囲に記載された発明の範囲内で種々の変更が可能である。
【００９９】
例えば、図１１に示す本発明の第二実施形態に係る止水構造１のように、背面配線孔３８の下方に、止水部材５５を構成する下止水部５９を設けた構成としてもよい。なお、第二実施形態に係る止水構造１は、下止水部５９を設けた点を除いて、上記第一実施形態に係る止水構造１と同様である。
【０１００】
下止水部５９は、第二背面部材５０の下部５４に設けられる。下止水部５９は、外壁１０に当接していない状態で、左右方向に長尺な四角柱状に形成されている。下止水部５９は、長さ寸法が、左止水部５７と右止水部５８との間の寸法よりも小さく形成され、左止水部５７の下端と右止水部５８の下端との間に、当該左止水部５７及び右止水部５８と離間するように配置されている。これにより、下止水部５９と、左止水部５７及び右止水部５８との間には、隙間が形成される。また、下止水部５９は、外壁１０に当接した状態で、第二背面部材５０の下部５４の下端部よりも突出しない構成とされている。
【０１０１】
また、下止水部５９は、外壁１０に当接していない状態で、第二背面部材５０の下部５４の下端部よりも上方に位置すると共に、当該下止水部５９の上端部と、第二背面部材５０の下部５４の上端部と、が同一平面状となるように配置される。
【０１０２】
以上のように、本発明の第二実施形態に係るパワーコンディショナ３０の止水構造１は、
前記第二背面部材５０は、
前記背面配線孔３８の上方、下方、左方及び右方を囲う構成とされ、
前記止水部材５５は、
前記背面配線孔３８の上方、左方及び右方において連続するように設けられた上止水部５６、左止水部５７及び右止水部５８（第一止水部）と、前記背面配線孔３８の下方において前記上止水部５６、左止水部５７及び右止水部５８と離間するように設けられた下止水部５９（第二止水部）と、を有するものである。
【０１０３】
このような構成により、下方からのパワーコンディショナ３０の内部への水の浸入を抑制することができる。また、背面配線孔３８の下方に位置する下止水部５９を、止水部材５５と離間するように設けているので、第二背面部材５０に囲われた領域に水が浸入した場合でも、上止水部５６、左止水部５７及び右止水部５８と下止水部５９との間の隙間を介した排水が可能となる。
【０１０４】
なお、上記各実施形態に係る第一背面部材４０は、本発明に係る壁掛金具囲み部材の一形態である。
また、上記各実施形態に係る第二背面部材５０は、本発明に係る配線孔囲み部材の一形態である。
また、第二実施形態に係る上止水部５６、左止水部５７及び右止水部５８は、本発明に係る第一止水部の一形態である。
また、第二実施形態に係る下止水部５９は、本発明に係る第二止水部の一形態である。
【０１０５】
なお、上記各実施形態においては、背面配線孔３８を、外壁配線孔１１よりも上方に位置する構成としたが、このような構成に限られず、背面配線孔３８を、外壁配線孔１１以下の位置に配置してもよい。
【０１０６】
また、上記各実施形態においては、第二背面部材５０は、第一背面部材４０の一部を構成するものとしたが、このような構成に限られず、第二背面部材５０を、第一背面部材４０とは別に設けるようにしてもよい。
【０１０７】
また、上記各実施形態においては、第一背面部材４０の上部４１、左部４２及び右部４３を、パワーコンディショナ３０の背板３４の上端部、左端部及び右端部よりも内方側（壁掛金具２０側）に位置するように配置しているが、このような構成に限られない。例えば、第一背面部材４０の上部４１、左部４２及び右部４３を、背板３４の上端部、左端部及び右端部に位置するように（一例としては、上部４１の上端部と背板３４の上端部との高さ位置を揃えるように）配置してもよい。
【０１０８】
また、上記各実施形態においては、パワーコンディショナ３０は、太陽光発電部に接続されるものとしたが、このような太陽光発電部に接続されないものとしてもよい。
【符号の説明】
【０１０９】
１      パワーコンディショナの止水構造
１０    外壁
１１    外壁配線孔
２０    壁掛金具
３０    パワーコンディショナ
３２    電線
３８    背面配線孔
４０    第一背面部材（壁掛金具囲み部材）
５０    第二背面部材（配線孔囲み部材）
５５    止水部材
５６    上止水部（第一止水部）
５７    左止水部（第一止水部）
５８    右止水部（第一止水部）
５９    下止水部（第二止水部）
６０    シール材
【図１】
2020053581.tif 000003
【図２】
2020053581.tif 000004
【図３】
2020053581.tif 000005
【図４】
2020053581.tif 000006
【図５】
2020053581.tif 000007
【図６】
2020053581.tif 000008
【図７】
2020053581.tif 000009
【図８】
2020053581.tif 000010
【図９】
2020053581.tif 000011
【図１０】
2020053581.tif 000012
【図１１】
2020053581.tif 000013